【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
ユーザがそれぞれが関連付けられた表示名を備えた複数のアイデンティティを有することがあるピアツーピアコラボレーションシステムにおいて連絡先認証を管理及び表示するための方法であって、
（ａ）第１のグラフィックユーザインタフェース上に、第１のアイデンティティであって、第１の表示名と同等である少なくとも１つの第２の表示名と関連付けられた少なくとも１つの第２のアイデンティティとは異なる第１のアイデンティティと関連付けられた第1の表示名の隣に名前一致インジケータを表示するステップと、
（ｂ）名前一致インジケータと関連付けられたユーザインプットに呼応して、前記第１の表示名と同等である複数の表示名を表示するステップと、
（ｃ）前記複数の同等の表示名の中から選択された表示名に対する別の表示名を指定するユーザインプットを受信するステップとを含み、該選択された表示名は、選択されたアイデンティティと関連付けられており、かつ、前記第１の表示名とは異なることを特徴とし、更に、
（ｄ）前記選択されたアイデンティティを、第２のグラフィックユーザインターフェース上で、前記別の表示名で特定するステップを含み、該グラフィックユーザインターフェスが前記ピアツーピアコラボレーションシステム内での通信を制御することに関連した機能を提供することを特徴とする方法。
【請求項２】
ステップ（ａ）が、各表示名からクリーンネーム（ｃｌｅａｎ ｎａｍｅ）を算出するステプと、２つの表示名のクリーンネームを比較し、該２つの表示名が同等であるかどうかを判断するステップを含むことを特徴とする請求項１の方法。
【請求項３】
各連絡先アイデンティティがそれと関連付けられた認証レベルを有し、ステップ（ａ）が、
（ａ１）同等であるすべての表示名の認証レベルを調査するステップと、
（ａ２）ステップ（ａ１）での調査に基づき、選択された表示名の隣に名前一致インジケータを表示するステップ、
を含むことを特徴とする請求項１の方法。
【請求項４】
ステップ（ａ２）が、連絡先アイデンティティであって、その認証レベルが、（１）同等の表示名が付いたすべての連絡先アイデンティティの内の最高の認証／証明レベル未満であるか、あるいは（２）同等の表示名が付いた少なくとも２つの連絡先アイデンティティが有する認証レベルと等しい最高の認証／証明ベルに等しいかの内のいずれかの連絡先アイデンティティと関連付けられた各表示名の隣に名前一致インジケータを表示するステップを含むことを特徴とする請求項３の方法。
【請求項５】
（ｅ）ある連絡先との通信に関して、その連絡先のセキュリティ方針と認証レベルに基づいてコラボレーションシステムの動作を決定するステップを更に含むことを特徴とする請求項３の方法。
【請求項６】
（ｆ）コラボレーションシステムのユーザから、セキュリティ方針を指定するインプットを受信するステップ
を更に含むことを特徴とする請求項５の方法。
【請求項７】
（ｆ）システム管理者から、セキュリティ方針を指定するインプットを受信するステップを
更に含むことを特徴とする請求項５の方法。
【請求項８】
（ｆ）ユーザに、そのユーザが所定の認証レベルを有する連絡先と通信しようと試みるときにはセキュリティ方針に基づいて警告するステップ、
を更に含むことを特徴とする請求項５の方法。
【請求項９】
（ｅ）他のユーザが所定の認証レベルを有しているときには、セキュリティ方針に基づいて、ユーザが該他ユーザと通信することを防止するステップ、
を更に含むことを特徴とする請求項５の方法。
【請求項１０】
ステップ（ｂ）が、ダイアログボックスであってそこに表示されている、第１の表示名と同等であるすべての表示名を有するダイアログボックスを表示するステップを含むことを特徴とする請求項１の方法。
【請求項１１】
ステップ（ｃ）が、前記選択された表示名に、エイリアスとして、前記表示名を割り当てるステップであって、該エイリアスは第1の表示名と第２の表示名のいずれにも同等ではなく、かつ、該エイリアスは前記選択された表示名を置換することを特徴とするステップを含むことを特徴とする請求項１の方法。
【請求項１２】
（ｅ）他の表示名と同等ではない表示名の隣に認証インジケータを表示するステップであって、該認証インジケータが、前記関連付けられた連絡先の認証レベルを表示することを特徴とするステップ、
を更に含むことを特徴とする請求項１の方法。
【請求項１３】
各連絡先が所定数の認証レベルの１つを有し、表示される認証インジケータが認証レベルの１つに対して一意であることを特徴とする請求項１２の方法。
【請求項１４】
ユーザが未認証及び未証明レベルを含む複数の認証及び証明レベルを有することがあるピアツーピアコラボレーションシステムで連絡先認証を管理及び表示するための方法であって、
（ａ）前記認証及び証明レベルに基づいてコラボレーションシステムの動作を制御するセキュリティ方針を設定するステップと、 
（ｂ）通信相手となる選択された連絡先の表示を、グラフィックユーザインターフェースを介して受信するステップと、
（ｃ）前記選択された連絡先の認証及び証明レベルを取得するステップと、
（ｄ）前記選択された連絡先が未認証及び未証明レベルを有するときには、前記セキュリティ方針に基づいて、前記ユーザに警告し、該ユーザが前記選択された連絡先と通信することを制限するステップ、
【請求項１５】
ステップ（ａ）が、ユーザがそのユーザに適用されるセキュリティ方針を設定するステップを含むことを特徴とする請求項１４の方法。
【請求項１６】
ステップ（ａ）が、システム管理者がユーザに適用されるセキュリティ方針を設定するステップを含むことを特徴とする請求項１４の方法。
【請求項１７】
ステップ（ｄ）が、セキュリティ方針が警告するように設定されており、かつ、ユーザが未認証及び未証明の連絡先との通信を試みるときには、該ユーザに警告するステップを含むことを特徴とする請求項１４の方法。
【請求項１８】
ステップ（ｄ）が、セキュリティ方針が制限するように設定されており、かつ、ユーザが未証明の連絡先との通信を試みるときには、該ユーザが未証明の連絡先と通信することを防止するステップを含むことを特徴とする請求項１４の方法。
【請求項１９】
ステップ（ｄ）が、セキュリティ方針が警告せずに許可するように設定されており、かつ、ユーザが未認証及び未証明の連絡先との通信を試みるときには、該ユーザが未認証及び未証明の連絡先と通信できるようにするステップを含むことを特徴とする請求項１４の方法。
【請求項２０】
ステップ（ｃ）が、
（ｃ１）ユーザが通信を試みる連絡先の連絡先リストをコンパイルするステップと、
（ｃ２）連絡先リストをチェックして認証されていない連絡先を決定するステップと、
（ｃ３）未認証の連絡先をチェックして証明方針が任意の未認証の連絡先に適用できるかどうかを判断するステップと、
（ｃ４）証明方針が連絡先に適用できないときには、未認証及び未証明の連絡先のリストに未認証の連絡先を載せるステップ、
を含むことを特徴とする請求項１４の方法。
【請求項２１】
ユーザがそれぞれに関連付けられた表示名が付いた複数のアイデンティティを有することがあるピアツーピアコラボレーションシステムにおいて、連絡先認証を管理及び表示するための装置であって、第１のアイデンティティと関連付けられた第1の表示名を、グラフィックユーザインタフェース上に表示する手段であって、前記第１のアイデンティティが少なくとも１つの第２の表示名と関連付けられた少なくとも１つの第２のアイデンティティとは異なることを特徴とし、該少なくとも１つの第２の表示名は前記第１の表示名と同等であることを特徴とする手段と、
前記名前一致インジケータと関連付けられたユーザインプットに呼応して、前記第１の表示名と同等である複数の表示名を表示する手段と、
複数の同等の表示名の中から選択された表示名に対して別の表示名を指定するユーザインプットを受信する手段であって、該選択された表示名は、選択されたアイデンティティと関連付けられており、かつ、前記第１の表示名とは異なることを特徴とする手段と、
前記選択されたアイデンティティを、第２のグラフィックユーザインターフェースで前記別の表示名で特定する手段であって、該グラフィックユーザインターフェースは前記ピアツーピアコラボレーションシステム内での通信を制御することに関連する機能を提供することを特徴とする手段、
を含むことを特徴とする装置。
【請求項２２】
名前一致インジケータを表示するための手段が、各表示名からクリーンネームを算出する機構と、２つの表示名の前記クリーンネームを比較して該２つの表示名が同等であるかどうかを判断するコンパレータとを含むことを特徴とする請求項２１の装置。
【請求項２３】
各連絡先アイデンティティがそれと関連付けられた認証レベルを有し、名前一致インジケータを表示する手段が、
同等であるすべての表示名の認証レベルを調べる手段と、
前記認証レベルを調べる手段によって同等であると判断された表示名に基づいて、選択された表示名の隣に名前一致インジケータを表示する手段と、
を含むことを特徴とする請求項２１の装置。
【請求項２４】
選択された表示名の隣に名前一致インジケータを表示する前記手段が、連絡先アイデンティティであって、その認証レベルが、（１）同等の表示名が付いたすべての連絡先アイデンティティの内の最高の認証／証明レベル未満であるか、あるいは（２）同等の表示名が付いた少なくとも１つの連絡先アイデンティティを有する認証レベルと等しい最高の認証／証明レベルに等しいかの内のいずれかの連絡先アイデンティティと関連付けられた各表示名の隣に名前一致インジケータを表示する手段を含むことを特徴とする請求項２３の装置。
【請求項２５】
ある連絡先の認証レベルに基づいて、その連絡先との通信に関するコラボレーションシステムの動作を決定するセキュリティ方針を提供する機構を更に含むことを特徴とする請求項２３の装置。
【請求項２６】
前記セキュリティ方針を提供する機構が、前記コラボレーションシステムのユーザが前記セキュリティ方針を決定できるようにする機構を含むことを特徴とする請求項２５の装置。
【請求項２７】
前記セキュリティ方針を提供する機構が、システム管理者が前記セキュリティ方針を決定できるようにする機構を含むことを特徴とする請求項２５の装置。
【請求項２８】
ユーザに、そのユーザが所定の認証レベルを有する連絡先との通信を試みるときには、前記セキュリティ方針に基づいて警告する機構、
を更に含むことを特徴とする請求項２５の装置。
【請求項２９】
他のユーザが所定の認証レベルを有するときに、ユーザが該他のユーザと連絡することを前記セキュリティ方針に基づいて防止する機構を更に含むことを特徴とする請求項２５の装置。
【請求項３０】
選択された表示名と同等であるすべての表示名を表示する前記手段が、ダイアログボックスであって、そこに表示されている選択された表示名と同等であるすべての表示名を有するダイアログボックスを表示する手段を含むことを特徴とする請求項２１の装置。
【請求項３１】
名前一致を解決する機構が、第1の表示名と第２の表示名のいずれかにエイリアスを割り当てる機構であって、該エイリアスが第1の表示名と第２の表示名のどちらにも同等ではなく、かつ、該エイリアスが前記１つの表示名を置換することを特徴とする請求項２１の装置。
【請求項３２】
他の表示名と同等ではない表示名の隣に、認証インジケータを表示する機構であって、該認証インジケータは前記関連付けられた連絡先の認証レベルを表示することを特徴とする認証インジケータを更に含むことを特徴とする請求項２１の装置。
【請求項３３】
各連絡先が所定数の認証レベルの１つを有することができ、表示された認証インジケータが認証レベルの１つに対して一意であることを特徴とする請求項３２の装置。
【請求項３４】
ユーザが未認証及び未証明レベルを含む複数の認証及び証明レベルを有することがあるピアツーピアコラボレーションシステムにおいて連絡先認証を管理及び表示するための装置であって、
前記認証及び証明レベルに基づいてコラボレーションシステムの動作を制御するセキュリティ方針を設定する機構と、
通信相手となる選択された連絡先の表示を、グラフィックユーザインターフェースを介して受信する手段と、
前記選択された連絡先の認証及び証明レベルを取得する手段と、
前記選択された連絡先が、未認証及び未承認レベルを有するときには、セキュリティ方針に基づいて、ユーザに警告し、ユーザが未認証及び未証明レベルの連絡先と通信することを制限する機構と、
を含むことを特徴とする装置。
【請求項３５】
セキュリティ方針を設定する前記機構が、ユーザがそのユーザに適用されるセキュリティ方針を設定できるようにする機構を含むことを特徴とする請求項３４の装置。
【請求項３６】
セキュリティ方針を設定する前記機構が、システム管理者がユーザに適用されるセキュリティ方針を設定できるようにする機構を含むことを特徴とする請求項３４の装置。
【請求項３７】
セキュリティ方針が警告するように設定されており、かつ、ユーザが未認証及び未証明の連絡先との通信を試みるときには、ユーザに警告しユーザを制限する機構がユーザに警告する機構を含むことを特徴とする請求項３４の装置。
【請求項３８】
ユーザに警告しユーザを制限する機構は、セキュリティ方針が制限するように設定されており、かつ、ユーザが未証明の連絡先との通信を試みるときには、ユーザが未証明の連絡先と通信するのを防止する機構を含むことを特徴とする請求項３４の装置。
【請求項３９】
ユーザに警告しユーザを制限する機構は、セキュリティ方針が警告せずに許すように設定されており、かつ、ユーザが未認証及び未証明の連絡先との通信を試みるときには、ユーザが未認証及び未証明の連絡先と通信できるようにする機構を含むことを特徴とする請求項３４の装置。
【請求項４０】
前記認証及び証明レベルを取得する手段が、
ユーザが通信を試みる連絡先の連絡先リストをコンパイルする手段と、
前記連絡先リストをチェックして認証されていない連絡先を決定する手段と、
前記未確証の連絡先をチェックして証明方針が未認証の連絡先に適用できるかどうかを判断する手段と、
前記証明方針がその連絡先に適用できないときには未認証及び未証明の連絡先のリストに未認証の連絡先を載せる手段と、
を含むことを特徴とする請求項３４の装置。
【請求項４１】
ユーザがそれぞれに関連付けられた表示名が付いた複数のアイデンティティを有することがあるピアツーピアコラボレーションシステムにおいて連絡先認証を管理及び表示するためのコンピュータプログラム製品であって、コンピュータによる読み取りが可能なプログラムコードを有する媒体であって、コンピュータで使用可能な媒体を含むことを特徴とし、該プログラムコードは、少なくとも１つの第２の表示名と関連付けられた少なくとも１つの第２のアイデンティティとは異なる第１のアイデンティティと関連付けられた第1の表示名の隣に名前一致インジケータを、グラフィックユーザインタフェース上に、表示するプログラムコードと、
前記名前一致インジケータと関連付けられたユーザインプットに呼応して、前記第１の表示名と同等である複数の表示名を表示できるように動作可能なプログラムコードと、
複数の同等の表示名の中から選択された表示名に対する別の表示名を指定するユーザインプットを受信するプログラムコードであって、該選択された表示名は選択されたアイデンティティと関連付けられており、かつ、前記第１の表示名とは異なることを特徴とするプログラムコードと、
前記選択されたアイデンティティを、第２のグラフィックユーザインターフェース上で前記別の表示名で、特定するプログラムコードであって、前記グラフィックユーザインターフェースは前記ピアツーピアコラボレーションシステム内での通信を制御することに関連する機能を提供することを特徴とするプログラムコード
を含むことを特徴とするコンピュータプログラム製品。
【請求項４２】
ユーザが未認証及び未証明のレベルを含む複数の認証及び証明レベルを有することがあるピアツーピアコラボレーションシステム内で連絡先認証を管理及び表示するためのコンピュータプログラム製品であって、コンピュータによる読み取りが可能なプログラムコードを有する媒体であって、コンピュータで使用可能な媒体を含むことを特徴とし、該プログラムコードは、
認証及び証明レベルに基づいてコラボレーションシステムの動作を制御するセキュリティ方針を設定するプログラムコードと、
通信相手となる選択された連絡先の表示を、グラフィックユーザインターフェースを介して受信するプログラムコードと、
前記選択された連絡先の認証及び証明レベルを取得するプログラムコードと、
前記選択された連絡先が未確証及び未証明レベルを有するときには、前記セキュリティ方針に基づいて、ユーザに警告し該ユーザが前記連絡先と通信することを制限するプログラムコードと、
を含むことを特徴とするコンピュータプログラム製品。
【手続補正２】
【補正対象書類名】明細書
【補正対象項目名】００４７
【補正方法】変更
【補正の内容】
【００４７】
特に、２つまたは３つ以上の連絡先が同等（ｅｑｕｉｖａｌｅｎｔ）の表示名を有する時、コラボレーティブシステムは、前述された認証アイコンの代わりに、図５Ｂに図示されるような一致する名前５０４、５０６を有する２つのアイデンティティの表示名のそれぞれの隣に、疑問符アイコン４０６（図４）などの警告を表示する。コラボレーティブシステムは、２つ（または３つ以上の）「クリーンネーム（ｃｌｅａｎ ｎａｍｅ）」が正確に一致する場合表示名を同等と見なす。クリーンネームは（１）先行するスペースと後続のスペースを削除する、（２）複数の埋め込まれたスペースを圧縮する、（３）句読点を削除する、及び（４）すべてのテキストを小文字のＵＮＩＣＯＤＥ文字に変換することにより連絡先表示名から作成される。
【手続補正３】
【補正対象書類名】明細書
【補正対象項目名】００５０
【補正方法】変更
【補正の内容】
【００５０】
次にクリーンネームは新しい連絡先を含む連絡先記憶部内の全連絡先についてクリーンネームと比較される。このプロセスを促進するために、クリーンネームは連絡先記憶部内の連絡先ごとにメタデータに記憶される。これらの記憶されているクリーンネームは次に新しい連絡先と比較され、名前が同等であるかどうかを判断し、名前一致リストを作成する。特にステップ６０６では、比較される追加のクリーンネームが連絡先記憶部に留まるかどうかを判断するために確認が行われる。追加名が留まらない場合には、名前連絡先リストは完全なものとなり、プロセスはオフページコネクタ６１６と６１８を介して、処理が後述されるように続行するステップ６２０に進む。